(57)【要約】  本発明はワイヤレスローカルエリアマルチメディアブロードキャストをサポートする方法およびシステムに関し、その方法は以下の内容を含み：ワイヤレスローカルエリアマルチメディアブロードキャストが行われる区域において周波数掃引を行い、システムの送信電力と送信位置を確定する；システムが動作するときに、ワイヤレスローカルエリアマルチメディアブロードキャストが必要のオーディオ及びビデオ信号を採集し、且つ、これらの信号をコーディングしてから、上記送信電力と送信位置及び携帯電話TV技術の標準によって送信する；携帯電話TVをサポートするターミナルは携帯電話TV技術の標準によりシステムの送信電力と対応する受信電力を選んで信号を受信し、それに当該ターミナルにおける当該携帯電話TV技術の標準をサポートする携帯電話TVモジュールによりデコードしてから、ユーザの選択によって放送及び消費する。
2012509626.tif 000002
【特許請求の範囲】
【請求項１】
ワイヤレスローカルエリアマルチメディアブロードキャストシステムに応用され、
前記システムが動作するときに、ワイヤレスローカルエリアマルチメディアブロードキャストしようとするオーディオ及びビデオ信号を採集して、これらの信号をコーディング処理行ってから、送信電力と送信位置及び携帯電話TV技術の標準によって送信するステップと、
携帯電話TVをサポートするターミナルは携帯電話TV技術の標準によって、前記システムの送信電力と対応する受信電力を選んで前記信号を受信し、それにデコード処理を行うステップを含むことを特徴とするワイヤレスローカルエリアマルチメディアブロードキャストをサポートする方法。
【請求項２】
請求項1に記載の方法であって、
前記システムが動作する前に、またワイヤレスローカルエリアマルチメディアブロードキャスト行われる区域に周波数掃引を行い、前記システムの送信電力と送信位置を確定する必要があることを特徴とする方法。
【請求項３】
請求項1或いは請求項2に記載の方法であって、
前記システムは各信号採集設備が採集したオーディオ及びビデオ信号のコーディングフォーマット、占用する物理チャンネルのパラメーター及び電子業務ガイド情報の処理ルールを配置し、前記システムが動作するときに、前記各信号採集設備から採集されたオーディオ及びビデオ信号を受信し、配置した処理ルールによって当該オーディオ及びビデオ信号に対しコーディング処理を行い、それから、前記送信電力と送信位置及び携帯電話TV技術の標準によって、コーディング処理を行ったオーディオ及びビデオ信号に対し送信を行うことを特徴とする方法。
【請求項４】
請求項3に記載の方法であって、
前記コーディング処理はコーディング圧縮とコーディング多重化処理であることを特徴とする方法。
【請求項５】
請求項1に記載の方法であって、
前記携帯電話TV技術標準はデジタルビデオブロードキャスト―ハンドヘルド受信標準、中国モバイルデジタルマルチメディアブロードキャスト標準、総合サービスデジタルブロードキャスト標準又はメディアフェローMediaFlo標準であることを特徴とする方法。
【請求項６】
ワイヤレスローカルエリアマルチメディアブロードキャストをサポートするシステムであって、当該システムは、信号採集設備、サーバー、送信設備と携帯電話TVをサポートするターミナルを含み、その中に、
前記信号採集設備は、システムが動作するときに、ワイヤレスローカルエリアマルチメディアブロードキャスト行われるオーディオ及びビデオ信号を採集し、それに前記オーディオ及びビデオ信号を前記サーバーに発送する；
前記サーバーは、前記信号採集設備から発送したオーディオ及びビデオ信号に対しコーディング処理を行い、それから、コーディング処理を行ったオーディオ及びビデオ信号を前記送信設備に発送する；
前記送信設備は、送信電力と送信位置及び携帯電話TV技術の標準によって、前記サーバーがコーディング処理したあと発送したオーディオ及びビデオ信号に対し送信を行う；
前記携帯電話TVをサポートするターミナルは、携帯電話TV技術の標準によって、前記送信設備の送信電力に対応する受信電力を選んで、送信したオーディオ及びビデオ信号を受信し、それにデコード処理を行うことを特徴とするシステム。
【請求項７】
請求項6に記載のシステムであって、
前記送信設備はさらに、前記システムが動作する前に、ワイヤレスローカルエリアマルチメディアブロードキャスト行われる区域に対し周波数掃引を行い、前記送信電力と送信位置を確定することを特徴とするシステム。
【請求項８】
請求項6或いは7に記載のシステムであって、
前記サーバーはさらに、前記各信号採集設備が採集したオーディオ及びビデオ信号のコーディングのフォーマット、占用する物理チャンネルのパラメーター及び電子業務ガイド情報の処理ルールを配置し、前記システムが動作するときに、前記各信号採集設備から採集されたオーディオ及びビデオ信号を受信し、配置した処理ルールによって当該オーディオ及びビデオ信号に対しコーディング処理を行い、それから、コーディング処理を行ったオーディオ及びビデオ信号を前記送信設備に発送することを特徴とするシステム。
【請求項９】
請求項8に記載のシステムであって、
前記サーバーは配置した処理ルールによって、前記オーディオ及びビデオ信号に対しコーディング圧縮とコーディング多重化処理を行うことを特徴とするシステム。
【請求項１０】
請求項6に記載のシステムであって、
前記携帯電話TV技術の標準はデジタルビデオブロードキャスト―ハンドヘルド受信標準、中国モバイルデジタルマルチメディアブロードキャスト標準、総合サービスデジタルブロードキャスト標準又はMediaFlo標準であることを特徴とするシステム。
【発明の詳細な説明】
【発明の詳細な説明】
【０００１】
［技術分野］
本発明はワイヤレスマルチメディアブロードキャストの分野に係わり、特にワイヤレスローカルエリアマルチメディアブロードキャストをサポートする方法及びシステムに関するものである。
【０００２】
［背景技術］
デジタル技術の幅広い普及に伴い、携帯電話TVに関する技術もますます熟達になっていて、携帯電話TVをサポートするターミナルは大規模に配置され、例えば、ヨーロッパのDVBH（Digital Video Broadcasting Handheld、デジタルビデオブロードキャスト―ハンドヘルド受信）標準、中国のCMMB(China Mobile Multimedia Broadcasting、中国モバイルデジタルマルチメディアブロードキャスト)標準、日本のISDB-T（Integrated Services Digital Broadcasting-Terrestrial、総合サービスデジタルブロードキャスト）標準及びアメリカのMediaFlo（メディアフェロー）標準である。携帯電話TVは低コストのワイヤレスマルチメディアソリューションとして、必ず大規模に応用されるに違いない。特に大切なのは、コストの低下を実現できるので、携帯電話TVをサポートするターミナルがきっと広い範囲に普及するという見込みもある。
【０００３】
一方で、若干の企業応用と業界応用もマルチメディアブロードキャストを使う必要がある。もし携帯電話TVのブロードキャスト技術を採用するなら、その配置は非常に容易になって、コストも非常に低くなる。しかし、これらの応用は携帯電話TV業務と差別があり、テレビブロードキャスト技術を取り入れるだけではいけない。これらの応用が携帯電話TVとの差別は、主にその「ローカルエリアネットワーク」プロパティであり、つまり携帯電話TVが主に「広域ネットワーク」のブロードキャスト技術として、広範囲の地域においてたくさんのユーザに大規模な情報を提供するブロードキャストであるが、マルチメディアブロードキャストの業界応用と企業応用が、「ローカルエリアネットワーク」のブロードキャスト技術であるに決まっている。ブロードキャストの空間地域も受け手もブロードキャスト内容も限られているので、如何に企業と業界が携帯電話TV技術を応用して、ワイヤレスローカルエリアマルチメディアブロードキャストを実現し、これらの応用を単独に配置するにもたらすコストを減少するのかは、迅速な解决が待たれる問題となっている。
【０００４】
［発明の開示］
上記の欠陥に対して、本発明が解決しようとする課題は、ワイヤレスローカルエリアマルチメディアブロードキャストをサポートする方法及びシステムを提供し、それは企業と業界が携帯電話TV技術を応用して、ワイヤレスローカルエリアマルチメディアブロードキャストを実現させ、これらの応用を単独に配置するにもたらすコストを減少できることである。
【０００５】
上記目的に実現するために、本発明はワイヤレスローカルエリアマルチメディアブロードキャストシステムに応用され、ワイヤレスローカルエリアマルチメディアブロードキャストをサポートする方法を提供することであって、
前記システムが動作するときに、ワイヤレスローカルエリアマルチメディアブロードキャストしようとするオーディオ及びビデオ信号を採集して、これらの信号をコーディングしてから、送信電力と送信位置及び携帯電話TV技術の標準によって送信するステップ、
携帯電話TVをサポートするターミナルは携帯電話TV技術の標準によって、前記システムの送信電力と対応する受信電力を選んで前記信号を受信し、それにデコード処理を行うステップを含むことを特徴とする。
【０００６】
本発明の前記方法では、その中、前記システムが動作する前に、ワイヤレスローカルエリアマルチメディアブロードキャストされる区域に周波数掃引を行い、前記システムの送信電力と送信位置を確定する。
【０００７】
その中、前記システムは各信号採集設備が採集したオーディオ及びビデオ信号のコーディングのフォーマット、占用する物理チャンネルのパラメーター及び電子業務ガイド情報の処理ルールを配置し、前記システムが動作するときに、前記各信号採集設備から採集されたオーディオ及びビデオ信号を受信し、配置した処理ルールによって当該オーディオ及びビデオ信号をコーディング処理し、それから、前記送信電力と送信位置及び携帯電話TV技術の標準によって、コーディング処理を行ったオーディオ及びビデオ信号を送信する。
【０００８】
さらに、その中、前記コーディング処理はコーディング圧縮とコーディング多重化処理である。
【０００９】
さらに、その中、前記携帯電話TV技術の標準はデジタルビデオブロードキャスト―ハンドヘルド受信標準、中国モバイルデジタルマルチメディアブロードキャスト標準、総合サービスデジタルブロードキャスト標準又はメディアフェロー標準である。
【００１０】
上記の目的を実現するために、本発明はワイヤレスローカルエリアマルチメディアブロードキャストをサポートするシステムを提供し、前記システムは、信号採集設備、サーバー、送信設備と携帯電話TVをサポートするターミナルを含み、その中に、
前記信号採集設備は、システムが動作するときに、ワイヤレスローカルエリアマルチメディアブロードキャストしようとするオーディオ及びビデオ信号を採集し、それに前記オーディオ及びビデオ信号を前記サーバーに発送する；
前記サーバーは、前記信号採集設備から発送したオーディオ及びビデオ信号をコーディング処理し、それから、コーディング処理を行ったオーディオ及びビデオ信号を前記送信設備に発送する；
前記送信設備は、送信電力と送信位置及び携帯電話TV技術の標準によって、前記サーバーがコーディング処理を行ったあと発送したオーディオ及びビデオ信号を送信する；
前記携帯電話TVをサポートするターミナルは、携帯電話TV技術の標準によって、前記送信設備の送信電力に対応する受信電力を選んで、送信したオーディオ及びビデオ信号を受信し、それにデコード処理を行う。
【００１１】
本発明の前記システムは、その中、前記送信設備はさらに、前記システムが動作する前に、ワイヤレスローカルエリアマルチメディアブロードキャストされる区域に周波数掃引を行い、前記送信電力と送信位置を確定する。
【００１２】
その中、前記サーバーはさらに、前記各信号採集設備が採集したオーディオ及びビデオ信号のコーディングのフォーマット、占用する物理チャンネルのパラメーター及び電子業務ガイド情報の処理ルールを配置し、前記システムが動作するときに、前記各信号採集設備から採集されたオーディオ及びビデオ信号を受信し、配置した処理ルールによって当該オーディオ及びビデオ信号をコーディング処理し、それから、コーディング処理を行ったオーディオ及びビデオ信号を前記送信設備に発送する。
【００１３】
さらに、その中、前記サーバーは配置した処理ルールによって、前記オーディオ及びビデオ信号に対しコーディング圧縮とコーディング多重化処理を行う。
【００１４】
さらに、その中、前記携帯電話TV技術の標準はデジタルビデオブロードキャスト―ハンドヘルド受信標準、中国モバイルデジタルマルチメディアブロードキャスト標準、総合サービスデジタルブロードキャスト標準又はメディアフェロー標準である。
【００１５】
従来の技術と比べて、本発明が目前広範に配置した携帯電話TV技術標準（たとえば中国のCMMB、アメリカのMediaFlo、ヨーロッパのDVB-H/T又は日本のISDB-Tなど）を採用するので、ターミナルが既成のビジネス用携帯電話TVターミナルを援用してもよいが、コストダウンの同時に、本発明はローカルエリアにおいて携帯電話TV技術で採集したマルチメディア情報をブロードキャストして、ワイヤレスローカルエリアマルチメディアブロードキャストを完成でき、特にローカルエリアにたくさんのユーザがある状況（たとえば、大きな会場、運動場などのような場所）に適用する。
【００１６】
［図面の説明］
図1は、本発明に記載のシステムの構成図；
図2は、本発明に記載の方法のフローチャート。
【００１７】
［発明を実施するための最良の形態］
本発明の目的、技術考案及びメリットをさらに明瞭させるために、以下、図面と実施例を参照して、本発明をさらに詳しく説明する。理解いただけるべきなのは、ここで述べた具体的な実施例が、ただ本発明の状況を説明するためのものであって、本発明を限定するものではない。
【００１８】
本発明は既存の携帯電話TV技術制式（例えばDVBH又はCMMB標準）を利用するとともに、一つ或いは若干の小型ブロードキャスト送信装置と従来既存の携帯電話TVターミナルを利用して、一つのローカルエリア（例えば会議室と体育館の中）で必要のマルチメディア情報をブロードキャストする。
【００１９】
本発明が適用できる情景は、以下のように例を挙げる：
一、一つのサッカー試合の現場で本発明を利用する（CMMB標準を例とする）例である。この場合に、現場での多くの観衆は視線が悪く、本発明を使って、観衆自身の視野の補足として、試合場に様々な角度或いは様々な位置のビデオカメラで撮影した画面を現場でブロードキャストすることができる。異なるビデオカメラは、それぞれのブロードキャストテレビ業務チャンネルを占用し、サーバーを通じて多重化してブロードキャストする。観衆は自分の趣味によって、携帯電話TVをサポートするターミナルを使って、様々な業務の間で切り替えて、試合を見ることができる。
【００２０】
二、一つの国際会議のホールで本発明（CMMB標準を例として）を利用して会議の音声をブロードキャストする例である。講壇スピーカーの発言は各国語に通訳されて、ホールでブロードキャストされ、それぞれの言語がそれぞれの業務と対応し、会議の参加者はESG（Electronic Service Guide、電子業務ガイド）の説明によって、自分の目標言語が対応する業務を選んで聴取する。
【００２１】
三、飛行機で本発明を利用してマルチメディアをブロードキャストする例である。伝統的なやり方は飛行機でケーブルテレビを配置するが、接続の複雑さが欠点である。本発明を採用してから、ターミナルはワイヤレスローカルエリアマルチメディアブロードキャストを使え、回線の接続も不要になるだけでなく、テレビブロードキャスト業務も正常に配置できる。
【００２２】
図1の示すように、本発明実施例に記載のシステム構成図であり、当該システムは主に四つの部分を含み、それぞれが信号採集設備101、サーバー102、送信設備103と、携帯電話TVをサポートするターミナル104である：その中
信号採集設備101は、システムが動作するときに、ワイヤレスローカルエリアマルチメディアブロードキャスト必要とするオーディオ及びビデオ信号を採集する；
サーバー102は、各信号採集設備101から発送したオーディオ及びビデオ信号をコーディング処理し、それから、コーディング処理を行ったオーディオ及びビデオ信号を送信設備103に発送する；
送信設備103は、事前に配置した送信位置と周波数掃引して確定した送信電力及び携帯電話TV技術の標準によって、サーバー102に処理されたオーディオ及びビデオ信号を送信する；
携帯電話TVをサポートするターミナル104は、携帯電話TV技術標準によって、送信設備103の送信電力と対応する受信電力を選んで、送信設備103が送信したオーディオ及びビデオ信号を受信し、それにその中における携帯電話TV技術の標準をサポートする携帯電話TVモジュールによりデコードしてから、ユーザの選択によって放送及び消費する。
【００２３】
また、信号採集設備101は送信内容に応じて配置する必要があり、信号採集設備101の数量及び位置を確定し、それから信号採集設備101はシステムが動作するときに、ワイヤレスローカルエリアマルチメディアブロードキャスト必要とするオーディオ及びビデオ信号を採集する；
また、サーバー102は各信号採集設備101が採集したオーディオ及びビデオ信号のコーディングのフォーマット、占用する物理チャンネルのパラメーター及びESG情報などの処理ルールを配置する必要があり、サーバー102は各信号採集設備101と接続して、各信号採集設備101が採集したオーディオ及びビデオ信号を受信してから、その配置の処理ルールによって、オーディオ及びビデオ信号に対しコーディング圧縮とコーディング多重化処理を行い、それからコーディング処理されたオーディオ及びビデオ信号を送信設備103に発送する；
また、事前にワイヤレスローカルエリアマルチメディアブロードキャストされる区域に周波数掃引を行うことは、配置したシステムが使える周波数及びそのままで援用できる現地で普遍的に配置した携帯電話TVをサポートするターミナルを確定するためであり、方法は現地で計画した周波数範囲にて周波数掃引を行い、アイドルの周波数を選んで、送信設備103の送信電力を確定する；
同時に、送信位置を確定するのは、電磁リークを防げ、ほかの区域に干渉をもたらさないためであり、送信設備103を配置する場合、送信電力を必ず精確に規定しなければならない。送信設備103の送信位置も満場をカバーするには必要の送信電力に影響をもたらすため、事前に送信設備103の最適の位置を確定しなければならない。あるとき、カバーする範囲が割合に大きい場合に、複数の送信設備103或いは複数のアンテナの方式を採用してもよく、若干の送信設備103又はアンテナを分散して、現場のそれぞれの位置に配置し、各送信設備103の送信電力をそれぞれに配置する。
【００２４】
広域ネットワークのブロードキャストシステムと違って、本発明に係わるこのシステムは局部化である。まず、当該システム中送信設備103の送信電力が割合に低く（送信電力が100dbm以下であるのはすべて比較的に低い送信電力と認める）、必要のローカルエリアに携帯電話TVをサポートするターミナル104が受信できるさえすれば結構である；その次、現場で周波数掃引を行うべき、送信に選ばれた周波数を確定し、当該周波数は実際にカバーする公共ブロードキャストネットワーク周波数と衝突してはいけない。
【００２５】
図2の示すように、本発明実施例に記載の方法のフローチャートであり、当該方法の具体的なステップは以下のように：
ステップ201では、ワイヤレスローカルエリアマルチメディアブロードキャストする区域に周波数掃引を行い、ワイヤレスローカルエリアマルチメディアブロードキャストするシステムの送信電力と送信位置を確定する；
ステップ202では、当該システムは、ワイヤレスローカルエリアマルチメディアブロードキャストしようとするオーディオ及びビデオ信号を採集し、且つ、これらの信号をコーディングしてから、システムの送信電力と送信位置及び携帯電話TV技術の標準によって送信する；
ステップ203では、システム送信範囲内における携帯電話TVをサポートするターミナルは、携帯電話TV技術の標準によりシステムの送信電力と対応する受信電力を選んでオーディオ及びビデオ信号を受信し、それに当該ターミナルにおける携帯電話TV技術の標準をサポートする携帯電話TVモジュールによりデコードしてから、ユーザの選択によって放送及び消費する。
【００２６】
また、前記ステップ201では、ワイヤレスローカルエリアマルチメディアブロードキャストしようとする区域に周波数掃引を行うことは、配置した当該システムが使える周波数及びそのままで援用できる現地で普遍的に配置した携帯電話TVをサポートするターミナルを確定するためであり、方法は現地で計画した周波数範囲で周波数掃引を行い、アイドルの周波数を選んで、システム中送信設備の送信電力を確定する；
同時に、システム中送信設備の送信位置を確定するのは、電磁リークを防げ、ほかの区域に干渉をもたらさないためであり、送信設備を配置する場合、送信電力を必ず精確に規定しなければならない。送信設備の送信位置も満場をカバーするには必要の送信電力に影響をもたらすため、事前に送信設備の最適の位置を確定しなければならない。あるとき、カバーする範囲が割合に大きい場合に、複数の送信設備或いは複数のアンテナの方式を採用してもよく、若干の送信設備又はアンテナを分散して、現場のそれぞれの位置に配置し、各送信設備の送信電力をそれぞれに配置する；
また、ステップ202にさらに以下の内容を含み：送信内容によって信号採集設備を配置する必要があり、信号採集設備の数量及び位置を確定し、それからシステムが信号採集設備を通じて、ワイヤレスローカルエリアマルチメディアブロードキャストしようとするオーディオ及びビデオ信号を採集する；
また、ステップ202では、システムはこれらの信号をコーディング処理し、システムの送信電力と送信位置及び携帯電話TV技術の標準によって送信する；さらに、
システムは、各信号採集設備が採集したオーディオ及びビデオ信号のコーディングのフォーマット、占用する物理チャンネルのパラメーター及びESG情報などの処理ルールを配置する；システムが各信号採集設備と接続してから、システムは各信号採集設備からワイヤレスローカルエリアマルチメディアブロードキャストしようとするオーディオ及びビデオ信号を採集し、配置の処理ルールによって、当該オーディオ及びビデオ信号に対しコーディング圧縮とコーディング多重化処理を行い、それからシステムの送信電力と送信位置及び携帯電話TV技術の標準によって、コーディング処理されたオーディオ及びビデオ信号を送信する。
【００２７】
また、実施例における携帯電話TV技術標準はヨーロッパのDVBH標準、中国のCMMB標準、日本のISDB-T標準及びアメリカのMediaFlo標準でもよい。
【００２８】
もちろん、本発明はまたいくつかの実施例もありえる。本発明精神及び実質を離れない前提で、本分野を熟知する技術者は本発明によって、各種の変更と変形を造ることができるが、これらの相応する変形と変更はすべて本発明の請求範囲に付属するべきである。
【００２９】
［工業上の実用性］
本発明は目前、広範に配置した携帯電話TV技術標準（たとえば中国のCMMB、アメリカのMediaFlo、ヨーロッパのDVB-H/T又は日本のISDB-Tなど）を採用したので、ターミナルが既成のビジネス用携帯電話TVターミナルを援用してもよく、コストダウンの同時に、ターミナルの手直すは非常に少なく、ひいては手直すしなくても本発明の方法及びシステムを利用して行ったワイヤレスローカルエリアのマルチメディアブロードキャスト発送した情報を受信でき、こうすれば、単独にこれらの応用を配置するためのコストが削減できる。本発明はひとつのローカルエリアにおいて携帯電話TV技術で採集したマルチメディア情報をブロードキャストして、ワイヤレスローカルエリアマルチメディアブロードキャストを完成でき、特にローカルエリアにたくさんのユーザがある状況に適用する。（たとえば、大きな会場、運動場などのような場所）。
【図面の簡単な説明】
【００３０】
【図１】本発明に記載のシステムの構成図である。
【図２】本発明に記載の方法のフローチャートである。
【図１】
2012509626.tif 000003
【図２】
2012509626.tif 000004
【国際調査報告】
2012509626.tif 000005
2012509626.tif 000006
2012509626.tif 000007
2012509626.tif 000008
2012509626.tif 000009
2012509626.tif 000010